(57)【要約】【課題】備えられた複数の表示部夫々に表示されるソフトキーを、表示部の個数より少ないタッチパネルによって操作可能な画像形成装置を提供する。【解決手段】第一表示部２１ａを備えたメイン操作部２１と、前記第一表示部２１ａより小さな第二表示部２２ａを備えたサブ操作部２２からなる操作装置２０を有する画像形成装置１において、前記第一表示部２１ａ及び第二表示部２２ａに表示されるソフトキーを操作するタッチパネル２２ｂを前記サブ操作部２２に備える。【選択図】図１
2008209679.tif 000002
【特許請求の範囲】
【請求項１】
第一表示部を備えたメイン操作部と、前記第一表示部より小さな第二表示部を備えたサブ操作部からなる操作装置を有する画像形成装置であって、
前記第一表示部及び第二表示部に表示されるソフトキーを操作するタッチパネルを前記サブ操作部に備えている画像形成装置。
【請求項２】
前記メイン操作部及びサブ操作部が一体に構成されている請求項１記載の画像形成装置。
【請求項３】
前記タッチパネルによる操作対象を切り替える操作切替部を備えている請求項１または２記載の画像形成装置。
【請求項４】
前記第一表示部に前記タッチパネルによる操作対象領域を区画表示する領域表示制御部を備えている請求項１から３の何れかに記載の画像形成装置。
【請求項５】
前記領域表示制御部に前記操作対象領域を変更操作する領域移動操作部を備えている請求項４記載の画像形成装置。
【請求項６】
前記操作対象領域に表示されるソフトキーのうち、前記タッチパネルにより操作された領域に対応するソフトキーの表示態様を変化させるとともに、確定入力操作に基づいて当該ソフトキーに割り付けられた処理を実行する表示制御部を備えている請求項４または５記載の画像形成装置。
【発明の詳細な説明】
【技術分野】
【０００１】
本発明は、第一表示部を備えたメイン操作部と、前記第一表示部より小さな第二表示部を備えたサブ操作部からなる操作装置を有する画像形成装置に関する。
【背景技術】
【０００２】
近年、オフィスに設置される複写機などの画像形成装置には、操作メニュー画面などを表示する表示部となる液晶画面と前記液晶画面に対する押圧を検出するタッチパネルとから構成される操作部を有した操作装置が備えられ、前記表示部に表示された操作メニューを操作して、オペレータは前記画像形成装置の所望の機能を使用することができる。
【０００３】
視覚性を向上し、操作を容易にし、または画像形成装置に搭載される機能の高度化に基づく操作メニューの増大などに対応するために、画像形成装置に備えられる操作装置は大型化され、または当該操作装置には複数の操作部が備えられる。そこで、操作装置に備えられる部品員数の増加や部品の高額化による製造コストの増大、または操作装置での消費電力の増大などが問題となる。
【０００４】
特許文献１には、各種情報を表示するための第一パネルと、第一パネルより消費電力の小さい第二パネルと、各パネルの電源制御並びに一部機能停止制御を行うパネルコントローラとを有して成り、前記パネルコントローラは、機器の使用状況に応じて、各パネルの動作モードを、全機能が使用可能とされた通常モード、一部機能が停止されたスリープモード、及び電源供給が遮断されたシャットダウンモードのいずれかとする電子機器が提案され、情報表示能力の低下を抑えつつ、当該電子機器の省電力化が図られている。尚、前記第一パネルと前記第二パネルは前述の表示部と同様に構成されるものである。
【０００５】
【特許文献１】特開２００５−１５３２７４号公報
【発明の開示】
【発明が解決しようとする課題】
【０００６】
ところで、操作部に備えられるタッチパネルによる電力消費は、オペレータからの操作入力を検出したときに生じるものであり、検出した操作入力をＡ／Ｄ変換して出力するために必要な２５０ｍＷ程度である。しかし、いつあるかわからないタッチパネルに対する操作入力を待ち受けるＣＰＵの待機電力や、受けた操作入力の位置座標を検出するためにＣＰＵが行う検出軸を切替えるスイッチングに要する消費電力などを考慮すると１Ｗ程度となり、複数の操作部からなる操作装置を有する画像形成装置においては、タッチパネルによる消費電力は大きなものとなる。
【０００７】
タッチパネルは、通常、液晶画面に重ね合わせて一体に操作部に配置されているが、特許文献１に記載の技術は表示部の省電力に関するものであり、タッチパネルに対する省電力については考慮されていない。また、タッチパネルの員数も削減することはできない。
【０００８】
本発明の目的は、上述の問題に鑑み、備えられた複数の表示部夫々に表示されるソフトキーを、表示部の個数より少ないタッチパネルによって操作可能な画像形成装置を提供する点にある。
【課題を解決するための手段】
【０００９】
上述の目的を達成するため、本発明による画像形成装置の第一の特徴構成は、特許請求の範囲の書類の請求項１に記載した通り、第一表示部を備えたメイン操作部と、前記第一表示部より小さな第二表示部を備えたサブ操作部からなる操作装置を有する画像形成装置であって、前記第一表示部及び第二表示部に表示されるソフトキーを操作するタッチパネルを前記サブ操作部に備えている点にある。
【００１０】
上述の構成によれば、サブ操作部に備えられたタッチパネルにより、第一表示部及び第二表示部に表示されるソフトキーを操作できるため、メイン操作部にタッチパネルを備える必要がなく、当該タッチパネルの部品コストを削減することができ、当該タッチパネルによる電力消費も生じない。従って、操作装置の部品コストが低減されるとともに消費電力も低減されるようになる。
【００１１】
同第二の特徴構成は、同請求項２に記載した通り、上述の第一の特徴構成に加えて、前記メイン操作部及びサブ操作部が一体に構成されている点にある。
【００１２】
同第三の特徴構成は、同請求項３に記載した通り、上述の第一または第二の特徴構成に加えて、前記タッチパネルによる操作対象を切り替える操作切替部を備えている点にある。
【００１３】
上述の構成によれば、操作切替部によりタッチパネルの操作対象が切り替えられるため、第一表示部に表示されたソフトキーと第二表示部に表示されたソフトキーの双方を当該タッチパネルにより個別に操作することができるようになる。
【００１４】
同第四の特徴構成は、同請求項４に記載した通り、上述の第一から第三の何れかの特徴構成に加えて、前記第一表示部に前記タッチパネルによる操作対象領域を区画表示する領域表示制御部を備えている点にある。
【００１５】
上述の構成によれば、領域表示制御部により第一表示部に前記タッチパネルによる操作対象領域が区画表示されるため、オペレータは第一表示部に表示されたソフトキーの何れがタッチパネルで操作可能になるのかを容易に認識することができるようになる。
【００１６】
同第五の特徴構成は、同請求項５に記載した通り、上述の第四の特徴構成に加えて、前記領域表示制御部に前記操作対象領域を変更操作する領域移動操作部を備えている点にある。
【００１７】
上述の構成によれば、領域表示制御部により第一表示部に区画表示されたタッチパネルの操作対象領域は領域移動操作部により移動され、移動後の操作対象領域に含まれるソフトキーがタッチパネルで操作可能となる。従って、領域移動操作部を操作することにより第一表示部に表示される任意のソフトキーを第一表示部よりも小さなサイズのタッチパネルで操作することができるようになる。
【００１８】
同第六の特徴構成は、同請求項６に記載した通り、上述の第四または第五の特徴構成に加えて、前記操作対象領域に表示されるソフトキーのうち、前記タッチパネルにより操作された領域に対応するソフトキーの表示態様を変化させるとともに、確定入力操作に基づいて当該ソフトキーに割り付けられた処理を実行する表示制御部を備えている点にある。
【００１９】
第一表示部に表示されたソフトキーは、その表示位置とは異なる位置に配置されたタッチパネルで操作されるため、オペレータは選択したソフトキーが正しく選択できているのか否かを認識することが難しい。上述の構成によれば、タッチパネルにより操作された領域に対応するソフトキーの表示態様が変化するので、オペレータはその表示態様を目視確認することにより操作ミスの有無を知ることができ、正しい操作に対して確定入力操作することができる。当該確定入力により、当該ソフトキーに割り付けられた処理が表示制御部によって実行される。即ち、オペレータによる操作入力ミスを防止して、目的の処理を実行させることができるようになる。
【発明の効果】
【００２０】
以上説明した通り、本発明によれば、備えられた複数の表示部夫々に表示されるソフトキーを、表示部の個数より少ないタッチパネルによって操作可能な画像形成装置を提供することができるようになった。
【発明を実施するための最良の形態】
【００２１】
以下、本発明について、画像形成装置の一例である複写機を用いて説明する。
【００２２】
複写機１は、図２に示すように、記録紙に画像を形成する本体２と画像が形成された記録紙を所定のモードで束ねるフィニッシャー３とからなる。本体２は、原稿から画像を読み取り画像データを生成する画像読取部２３と、読み取られた画像データに所定の処理を施して記録紙に画像を形成して出力する画像形成部２４を備え、その正面側には該複写機１の各種の動作モードの設定に関する全ての操作入力が可能なメイン操作部２１を備えている。また、フィニッシャー３の上面には、該複写機１の基本設定が可能なサブ操作部２２が設けられている。
【００２３】
図３（ａ）に示すように、メイン操作部２１には大画面の液晶ディスプレイでなる第一表示部２１ａと複数のハードキー２１ｂが備えられ、図３（ｂ）に示すように、サブ操作部２２には前記第一表示部２１ａより小さな第二表示部２２ａと第二表示部２２ａに重ね合わせられて一体に形成されたタッチパネル２２ｂと複数のハードキー２２ｃが備えられている。オペレータは、第一表示部２１ａ及び第二表示部２２ａに表示されるソフトキーをタッチパネル２２ｂにより操作することができる。
【００２４】
サブ操作部２２の第二表示部２２ａには、コピーに用いる用紙サイズやコピー部数など、該複写機１の基本設定が可能な操作画面が表示され、上向きの三角形と下向きの三角形で一対となる二組のソフトキーの夫々を押圧操作することで、当該設定を行うことができる。また、ハードキー２２ｃは、ソフトキーに対する操作入力を確定する確定キー２２ｄと、ソフトキーに対する操作入力を取り消す取消キー２２ｅと、タッチパネル２２ｂによる操作対象を、第一表示部２１ａに表示されるソフトキーと第二表示部２２ａに表示されるソフトキーの何れかに切替える切替キー２２ｆとからなる。切替キー２２ｆは、ドグルに構成され、押圧により「オン」と「オフ」が入れ替わる。「オン」状態にあるときには第一表示部２１ａに表示されたソフトキーがタッチパネル２２ｂの操作対象となり、「オン」状態にあるときには第一表示部２１ａに表示されたソフトキーがタッチパネル２２ｂの操作対象となる。
【００２５】
メイン操作部２０の第一表示部２１ａには、複数のソフトキーが配された操作画面が表示され、当該操作画面に表示される複数のソフトキーにより、該複写機１の各種の動作モードの設定を行うことができる。ハードキー２１ｂは、タッチパネル２２ｂの操作対象が第一表示部２１ａに表示されたソフトキーであるとき、タッチパネル２２ｂによる操作対象領域を変更操作する際に用いる領域移動キー２１ｃと、画像形成時の色モードを選択する色モード選択キー２１ｄと、押圧により該複写機１が画像形成動作を開始するスタートキー２１ｅと、コピー部数などの入力に用いる数値キー２１ｆと、数値入力等をクリアするクリアキー２１ｅと、行われた設定をリセットするリセットキー２１ｈと、該複写機１の画像形成動作を停止させるストップキー２１ｉとからなる。
【００２６】
該複写機１の備える各部は、ＣＰＵと各部の制御プログラムを格納するＲＯＭと作業領域となるＲＡＭ等を備えた制御部により制御され、各制御部は内部バスを介して制御データや画像データ等の送受信が可能に構成される。詳述すると、図４に示すように、メイン操作部２１及びサブ操作部２２は操作表示制御部２００により、画像読取部２３は画像読取制御部２３０により、画像形成部２４は画像形成制御部２４０により夫々制御され、フィニッシャー３は内部に備えられた後処理制御部３００により制御される。また、各制御部は操作表示制御部２００により統括制御される。メイン操作部２１とサブ操作部２２と操作表示制御部２００とにより本発明における操作装置２０が構成される。
【００２７】
操作表示制御部２００は、図１に示すように、ＣＰＵとＲＯＭとＲＡＭに加えて、ＲＯＭに格納された画面データに基づいてＣＰＵにより生成されたビットマップデータでなる操作画面データが展開される第一ＶＲＡＭ・第二ＶＲＡＭと、領域移動キー２１ｃ及び切替キー２２ｆ等のハードキー２１ｂ・２２ｃとタッチパネル２２ｂとに対するインターフェースである入力Ｉ／Ｆと、第一表示部２１ａ・第二表示部２２ａに対するインターフェースである出力Ｉ／Ｆとを備える。
【００２８】
入力Ｉ／Ｆを介して、オペレータの操作入力が伝達されたＣＰＵは、当該操作入力を該複写機１の各部に伝達すると共に、ＲＯＭから当該操作入力に応じた画像データを読み出して、第一表示部２１ａに対する操作画面データを第一ＶＲＡＭに、第二表示部２２ａに対する操作画面データを第二ＶＲＡＭに夫々展開し、当該操作画面データを記憶する第一ＶＲＡＭと第二ＶＲＡＭの記憶領域に対応する第一表示部２１ａと第二表示部２２ａの各領域に操作画面を表示させる。
【００２９】
操作表示制御部２００は、制御プログラムを実行するＣＰＵと操作表示制御部２００の備える前述の各部品とで形成される複数の機能ブロックを備え、本発明に係る主要な機能ブロックとしては、図５に示すように、領域移動キー２１ｃ及び切替キー２２ｆ等のハードキー２１ｂ・２２ｃとタッチパネル２２ｂとに対する操作入力を検出する操作制御部２０１と、操作制御部２０１から出力される切替キー２２ｆの「オン」状態または「オフ」状態に基づき、タッチパネル２２ｂによる操作対象を切り替える操作切替部２０５と、第一表示部２１ａにタッチパネル２２ｂによる操作対象領域を区画表示する領域表示制御部２０３と、第一表示部２１ａと第二表示部２２ａへの給電を制御すると共に、操作制御部２０１から出力されるハードキー２１ｂ・２２ｃとタッチパネル２２ｂとに対する操作入力に基づいて、対応する操作画面を第一表示部２１ａまたは第二表示部２２ａ表示させ、また、該複写機１の画像読取部２３０と画像形成部２４０と後処理部３００に対応する動作を要求する表示制御部２０２とを備える。更に、領域表示制御部２０３は、タッチパネル２２ｂの操作対象領域を変更操作する領域移動操作部を備える。
【００３０】
操作切替部２０５は、切替キー２２ｆが「オン」状態にあるとき、タッチパネル２２ｂの操作対象を第一表示部２１ａに表示されるソフトキーに切り替え、切替キー２２ｆが「オフ」状態にあるとき、タッチパネル２２ｂの操作対象を第二表示部２１ｂに表示されるソフトキーに切り替える。
【００３１】
操作制御部２０１は、操作切替部２０５によりタッチパネル２２ｂの操作対象が切替えられると、ソフトキーの位置検出に用いる座標情報を、対応する操作画面のものに切り替え、当該座標情報に基づいて操作入力されたソフトキーがいずれのものであるかを検出する。ここで、操作画面に配されるソフトキーの座標情報は、ＲＯＭに格納されており、必要に応じて読み出すことができる。
【００３２】
領域表示制御部２０３は、タッチパネル２２ｂの操作対象が第一表示部２１ａに表示されるソフトキーであるとき、ＲＡＭに格納した操作対象領域の座標情報を読み出して、当該操作対象領域を区画表示するための画像データを生成して表示制御部２０２に出力し、タッチパネル２２ｂの操作対象が第二表示部２２ａに表示されるソフトキーであるとき、操作対象領域の区画表示停止を表示制御部２０２に要求する。
【００３３】
領域移動操作部２０４は、操作画面上にタッチパネル２２ｂの操作対象領域が区画表示されているとき、換言すると切替キー２２ｆが「オン」状態にあるときに、操作入力された領域移動キー２１ｃの操作時間を操作制御部２０１から受信して、当該操作時間から操作対象領域の移動量を導出し、当該移動量に基づいてＲＡＭに格納された操作対象領域の座標情報を更新し、領域表示制御部２０３に更新した座標情報に基づく当該操作対象領域を区画表示するための画像データを生成させ、表示制御部２０２に出力させることで、当該操作対象領域の表示位置を変更操作する。
【００３４】
表示制御部２０２は、タッチパネル２２ｂの操作対象が第一表示部２１ａに表示されたソフトキーであるとき、図６（ａ）に示すように、第二表示部２２ａへの給電を停止して操作画面の表示を停止させ、領域表示制御部２０３から出力されるタッチパネル２２ｂの操作対象領域を区画表示するための画像データを受信して第一ＶＲＡＭに展開した操作画面データと合成し、合成した画像データに基づいて第一表示部２１ａに操作対象領域が表示された操作画面を表示する。このとき、領域移動キー２１ｃが操作されて領域表示制御部２０３から出力された操作対象領域の画像データに基づいて表示制御部２０２が第一表示部２１ａに表示する操作対象領域は、図６（ｂ）に示すように、領域移動キー２１ｃの操作入力により、第一表示部２１ａを移動する。
【００３５】
また、表示制御部２０２は、図６（ｃ）に示すように、操作対象領域に表示されるソフトキーのうち、タッチパネル２２ｂにより操作された領域に対応するソフトキーの表示態様を変化させるとともに、確定キー２２ｄ押圧による確定入力操作に基づいて当該ソフトキーに割り付けられた処理を実行する。なお、図６（ｃ）は、タッチパネル２２ｂの「集約」キーに対応する領域が操作されて、第一表示部２１ａに表示された「集約」キーの表示態様が反転表示に変化された状態を示すものであり、図６（ｃ）において、タッチパネル２２ｂ上に点線で配された各ソフトキーは、操作対象領域に対応するタッチパネル２２ｂの領域を説明するために便宜上表示しているに過ぎず、第二表示部２２ａに対する給電は停止されているため、実際にこれらのソフトキーが表示されるものではない。
【００３６】
表示制御部２０２は、タッチパネル２２ｂの操作対象が第二表示部２２ａに表示されたソフトキーであるとき、第二表示部２１ａへ給電して第二表示部２２ａを動作させて操作画面を表示すると共に、領域表示制御部２０３からの操作対象領域の区画表示停止要求を受け、第一表示部２１ａに操作対象領域の区画表示のない操作画面を表示する。
【００３７】
なお、図６（ａ）、（ｂ）、（ｃ）においては、第一表示部２１ａにおける操作対象領域を点線で区画表示しているが、これに限定するものでなく、例えば、操作対象領域を凸または凹表示したり、操作対象領域をシャープフォーカスで表示して対象領域外をソフトフォーカスで表示したり、ソフトキーが判別可能な程度に操作対象領域を薄く色付けするなど、操作対象領域が判別可能に表示するものであれば良い。
【００３８】
以下に、第一表示部２１ａにおけるタッチパネル２２ｂの操作対象領域の変更操作について、図７のフローチャートを用いて説明する。
【００３９】
切替キー２２ｆが「オフ」されると（Ｓ１）、表示制御部２０２は給電を行って第二表示部２２ａを「オン」状態とし（Ｓ２）、領域表示制御部２０３は第一表示部２１ａにおけるタッチパネル２２ｂの操作対象領域を非表示とする（Ｓ３）。
【００４０】
切替キー２２ｆが「オン」されると（Ｓ１）、表示制御部２０２は給電を停止して第二表示部２２ａを「オフ」状態とし（Ｓ４）、領域表示制御部２０３はＲＡＭに記憶された操作対象領域の座標情報を読み出して（Ｓ５）、表示制御部２０２を介して、第一表示部２１ａに操作対象領域を表示する（Ｓ６）。
【００４１】
第一表示部２１ａに操作対象領域が表示されているときに（Ｓ６）、オペレータにより領域移動キー２１ｃが操作されると（Ｓ７）、領域移動操作部２０４は、操作検出処理部２０１により検出された領域移動キー２２ｆの操作時間に基づいて操作対象領域の上下左右への移動量を導出し（Ｓ８）、ＲＡＭに記憶された操作対象領域の座標情報を更新し（Ｓ９）、領域表示制御部２０３は前記座標情報に基づき、当該操作対象領域を変更操作する（Ｓ１０）。
【００４２】
以下に、別実施形態について説明する。
【００４３】
上述の実施形態では、メイン操作部２１はタッチパネルを備えない構成としたが、これに限定するものではなく、メイン操作部２１はタッチパネルを備えるが、省電力などの目的で、当該タッチパネルによる操作検出を無効に設定することができるように構成された画像形成装置で、当該タッチパネルが無効に設定されているときに、第一表示部２１ａに表示されるソフトキーをサブ操作部２２のタッチパネル２２ｂにより操作する構成であっても良い。この場合、タッチパネルの部品員数を削減することはできないが、タッチパネルによる電力消費を抑制することができる。
【００４４】
上述の実施形態では、メイン操作部２１とサブ操作部３０とが独立して該複写機１に備えられる構成としたが、これに限定するものではなく、メイン操作部２１及びサブ操作部２２が一体に構成されている構成であっても良い。つまり、第一表示部２１ａと第二表示部２２ａに表示されるソフトキーを単一のタッチパネルで操作できる構成であっても良い。
【００４５】
上述の実施形態では、領域移動キー２１ｃをメイン操作部２１に配置する構成としたが、サブ操作部２２に配置する構成であっても良く、メイン操作部２１とサブ操作部２２の双方に配置する構成であっても良い。つまり、領域移動キー２２ｆの操作時間に基づき、領域移動操作部２０４が操作対象領域の移動量を導出できるように構成するものであれば良い。
【００４６】
上述の実施形態では、切替キー２２ｆをサブ操作部２２に配置する構成としたが、メイン操作部２１に配置する構成であっても良く、メイン操作部２１とサブ操作部２２の双方に配置する構成であっても良い。つまり、切替キー２２ｆが押圧操作されたことを操作切替部２０３が検出できるように構成するものであれば良い。
【００４７】
上述の実施形態では、タッチパネル２２ｂの操作対象が第一表示部２１ａに表示されたソフトキーであるとき、第二表示部２２ａを停止する構成としたが、第一表示部２１ａにおけるタッチパネル２２ｂの操作対象領域に表示される操作画面を第二表示部２２ａに表示する構成であっても良い。この場合、図８に示すように、第二表示部２２ａにおいても選択されたソフトキーの表示態様が変化するため、タッチパネル２２ｂを操作して当該選択操作を行うオペレータは、第一表示部２１ａに表示されるソフトキーを間違うことなく選択することができる。
【００４８】
上述の実施形態では、操作対象領域に表示されるソフトキーのうち、タッチパネル２２ｂにより操作された領域に対応するソフトキーの表示態様を変化させるとともに、確定入力操作に基づいて当該ソフトキーに割り付けられた処理を実行する表示制御部２０２を備えている構成としたが、メイン操作部２１とサブ操作部２２が近い位置に配置され、タッチパネル２２ｂを操作するオペレータが第一表示部２１ａに表示されたソフトキーを容易に視認できるときには、表示態様を変化させる構成である必要はない。
【００４９】
上述の実施形態では、第二表示部２２ａの上面に透明電極群でなるタッチパネル２２ｂを備えたものを説明したが、タッチパネルの実装形態はこのようなものに限らず、図９（ａ）に示すように、第二表示部２２ａの下側等の周辺に、第二表示部２２ａと同サイズのタッチパッドでなるタッチパネル２２ｂを設置するものであっても良い。
【００５０】
上述の実施形態では、サブ操作部２２は確定キー２２ｄと取消キー２２ｅをハードキー２２ｂとして備える構成としたが、本発明のタッチパネルであるタッチパッド３０ｄの一部をこれらのハードキーに対する領域として用いる構成としても良い。この場合、図９（ｂ）に示すように、操作入力可能な「操作領域」と選択を有効化する「有効化領域」と選択を無効化する「無効化領域」などが視別可能に構成されたマスクシートをタッチパネル２２ｂ上に重ね合わせることで当該タッチパネル２２ｂの操作に苦慮することはない。また、タッチパネル２２ｂの操作対象が第一表示部２１ａに表示されたソフトキーであるとき、第二表示部２２ａを停止するのではなく、図９（ｃ）に示すように、タッチパネル２２ｂの操作対象領域に対応する操作領域と確定キー２２ｄと取消キー２２ｅとを第二表示部２２ａに表示する構成であっても良い。
【００５１】
上述の実施形態では、複写機１は、メイン操作部２１と一のサブ操作部２２とを有する構成としたが、複写機１は、サブ操作部２２を複数有する構成であっても良い。この場合、複数でなるサブ操作部２２の何れかの備えるタッチパネルによって、第一表示部２１ａに表示されるソフトキーを操作可能であればよい。
【００５２】
上述の実施形態では、複写機１に本発明を適用する構成としたが、本発明が適用できる画像形成装置は、複写機に限定するものではなく、第一表示部を供えたメイン操作部と、前記第一表示部より小さな第二表示部を備えたサブ表示部からなる操作装置を有する画像形成装置であれば良い。つまり、当該操作装置を備えたＦＡＸやスキャナなどであってもよい。
【００５３】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。さらに、上述の複数の実施形態を適宜組み合わせて構成しても良い。
【図面の簡単な説明】
【００５４】
【図１】操作表示制御部の説明図
【図２】複写機の外観図
【図３】（ａ）はメイン操作部の外観図複写機のブロック構成図、（ｂ）はサブ操作部の外観図
【図４】複写機のブロック構成図
【図５】操作表示制御部のブロック構成図
【図６】（ａ）は操作対象領域の説明図、（ｂ）は操作対象領域の変更操作に係る説明図、（ｃ）はソフトキーの表示態様の変化に係る説明図
【図７】操作対象領域変更操作の動作を説明するフローチャート
【図８】別実施形態を示す第二表示部に表示される画面の説明図
【図９】（ａ）は別実施形態を示すサブ操作部の外観図、（ｂ）は別実施形態を示すサブ操作部のタッチパネルの外観図、（ｃ）は別実施形態を示すサブ操作部の外観図
【符号の説明】
【００５５】
２１：メイン操作部
２１ａ：第一表示部
２１ｃ：領域移動キー
２２：サブ操作部
２２ａ：第二表示部
２２ｂ：タッチパネル
２２ｆ：切替キー
２００：操作表示制御部
２０１：操作制御部
２０２：表示制御部
２０３：領域表示制御部
２０４：領域移動操作部
２０５：操作切替部
【図１】
2008209679.tif 000003
【図２】
2008209679.tif 000004
【図３】
2008209679.tif 000005
【図４】
2008209679.tif 000006
【図５】
2008209679.tif 000007
【図７】
2008209679.tif 000008
【図８】
2008209679.tif 000009
【図６】
2008209679.tif 000010
【図９】
2008209679.tif 000011